(57)【要約】【課題】  シリンダのピストンロッドの伸縮に伴う弛みを吸収し、かつ、ピストンロッドへの取付けが容易なシリンダ保護カバーを提供する。【解決手段】  一端(2)がピストンロッド(24)の先端部近傍にロッド側固定手段(30)により固定され、他端(3)がシリンダチューブ(22)にチューブ側固定手段(30)により固定されるシリンダ保護カバーに、ピストンロッドの伸縮によって生じる弛みを吸収する弛み吸収手段（蛇腹構造）(1)と、長手方向に一端から他端にわたり少なくとも一箇所切断された切断部(4)とを備える。【選択図】      図６
2006161980.tif 000002
【特許請求の範囲】
【請求項１】
シリンダの表面を覆うべく両端が開口した筒状体で形成され、一端がピストンロッドの先端部近傍にロッド側固定手段により固定され、他端がシリンダチューブにチューブ側固定手段により固定されるシリンダ保護カバーであって、
前記ピストンロッドの伸縮によって生じる弛みを吸収する弛み吸収手段と、
長手方向に前記一端から前記他端にわたり少なくとも一箇所切断された切断部とを備えたことを特徴とするシリンダ保護カバー。
【請求項２】
前記弛み吸収手段は、前記筒状体を蛇腹状に伸縮させるべく細径部と太径部とを交互に繰り返し有する蛇腹構造で形成され、
該蛇腹構造の前記細径部及び前記太径部は、中空の隣り合う素材同士が中空部端部及び外径端部で互いに接着及び縫合されて形成されることを特徴とする、請求項１に記載のシリンダ保護カバー。
【請求項３】
前記蛇腹構造は、前記太径部の外径寸法が前記一端から前記他端に向けて徐々に大きくなるよう形成されることを特徴とする、請求項２に記載のシリンダ保護カバー。
【請求項４】
前記切断部が千鳥状に切断されてなることを特徴とする、請求項２または３に記載のシリンダ保護カバー。
【請求項５】
前記蛇腹構造は、前記細径部の内径寸法が前記一端から前記他端にかけて略同径となるよう形成されることを特徴とする、請求項２乃至４のいずれかに記載のシリンダ保護カバー。
【請求項６】
前記蛇腹構造は、前記細径部の内径寸法が前記一端から前記他端に向けて徐々に大きくなるよう形成されることを特徴とする、請求項２乃至４のいずれかに記載のシリンダ保護カバー。
【請求項７】
前記筒状体は、前記切断部が前記シリンダの取付けられる部材側を向くよう前記シリンダに固定されてなることを特徴とする、請求項１乃至６のいずれかに記載のシリンダ保護カバー。
【請求項８】
前記ロッド側固定手段及び前記チューブ側固定手段は、それぞれ前記ピストンロッド及び前記シリンダチューブの外径に応じた径寸法に対応して締付けるバンド部材と、該バンド部材を覆う保護部材とを有することを特徴とする、請求項１乃至７のいずれかに記載のシリンダ保護カバー。
【請求項９】
請求項１から請求項８のいずれかに記載のシリンダ保護カバーを備えたことを特徴とするシリンダ。
【発明の詳細な説明】
【技術分野】
【０００１】
本発明は、例えば油圧シリンダ、水圧シリンダ、空気圧シリンダ等のシリンダを構成するピストンロッドを保護するためのシリンダ保護カバー及びこのシリンダ保護カバーを備えたシリンダに関する。
【背景技術】
【０００２】
この種のシリンダ保護カバーに関連する従来技術として、例えは特許文献１に開示された技術がある。この特許文献１には、布、ゴム、合成樹脂等の可撓性を有する素材で作製したカバーを、油圧シリンダのロッド部を覆うようにロッド先端部からシリンダチューブの先端部位にかけて取付ける技術が開示されている。ここに、シリンダロッドの保護カバーは、ロッドに取付けた際に略円筒形状をなし、カバーのロッド側の外径が細く、チューブ側の外径が太くなるように構成されている。これにより、ロッドが収縮したときに、細径部が太径部内に入り込むようにカバーが襞状に収縮し、カバーの弛み部分が外方に大きくはみ出すことなくカバーを円滑に収縮させることができる。
【０００３】
また、ここでは略四角形状のカバー部材をロッドに巻き付けることによりロッドに取付けるようにしているため（特許文献１の図８参照）、当該カバーをロッドに取付ける際に、ロッドをアームやブーム等の取付部材から外す必要がなく、取付け作業を容易に行うことができる。
また、特許文献１にはその従来技術（特許文献１の図９参照）として、ゴムや合成樹脂製の蛇腹状円筒体をシリンダのピストンロッドに取付けた保護カバーが開示されている。この場合、蛇腹構造によってロッドの伸縮に伴う保護カバーの弛みが吸収される利点がある。
【特許文献１】特開２００１−２４１４０６号公報
【発明の開示】
【発明が解決しようとする課題】
【０００４】
上述した特許文献１に開示される油圧シリンダの保護カバーは、ロッド先端側からチューブ側にかけて徐々に径を大きくすることによりロッド収縮時の弛みを吸収することを意図してはいるものの、例えば雨等によりカバーが濡れた場合と乾いている場合とではロッドの収縮によってカバーが襞状に折れ曲がる部位が一定せず、状況によっては必ずしも弛みを十分に吸収しきれるとは言い難い。すなわち、特に特許文献１の従来技術としてあげられた蛇腹構造に比べると、特許文献１に発明として開示されたカバー構造はロッド収縮時のカバーの弛みに対してはそれ程効果を期待できるものではない。
【０００５】
一方、特許文献１の従来技術で上げられた略円筒状の蛇腹構造の保護カバーは、弛みは吸収できるもののロッドに取付ける際にロッドを部材から取り外さなければならず取付け上の手間がかかり、また、その内部に空気が溜まるため収縮時には全体が膨張し見栄えが悪くなるという欠点がある。さらに、このような保護カバーは、素材そのものが薄いため、石等が当たると破損し易いという欠点もある。
【０００６】
また、特許文献１には明記されていないが、蛇腹構造を採用する場合には一般に太径部にばね材やワイヤ等の補強部材を用いるようにしており、この補強部材が使用しているうちに腐食によって断線し、さらにはこの断線によりカバーそのものが裂けてしまうおそれもある。
本発明はこのような問題点を解決するためになされたもので、その目的とするところは、シリンダのピストンロッドの伸縮に伴う弛みを吸収し、かつ、ピストンロッドへの取付けが容易なシリンダ保護カバーを提供することにある。
【課題を解決するための手段】
【０００７】
上記目的を達成するために、請求項１に係るシリンダ保護カバーでは、シリンダの表面を覆うべく両端が開口した筒状体で形成され、一端がピストンロッドの先端部近傍にロッド側固定手段により固定され、他端がシリンダチューブにチューブ側固定手段により固定されるシリンダ保護カバーであって、前記ピストンロッドの伸縮によって生じる弛みを吸収する弛み吸収手段と、長手方向に前記一端から前記他端にわたり少なくとも一箇所切断された切断部とを備えたことを特徴とする。
【０００８】
これより、長手方向に切断された切断部から筒状体を半割れ状に大きく広げることで保護カバーをピストンロッドを覆うように設置可能であり、ピストンロッド側及びシリンダチューブ側の各固定手段により締付け固定することにより当該保護カバーを容易にロッドに取付け可能である。また、ピストンロッドが伸縮した際に、切断部から保護カバー内部の空気が外部に排出され、弛み吸収手段によって保護カバーの弛みが吸収されるため、ピストンロッドの伸縮に伴う保護カバーの膨張や弛みが防止される。
【０００９】
また、請求項２に係るシリンダ保護カバーでは、請求項１において、前記弛み吸収手段は、前記筒状体を蛇腹状に伸縮させるべく細径部と太径部とを交互に繰り返し有する蛇腹構造で形成され、該蛇腹構造の前記細径部及び前記太径部は、中空の隣り合う素材同士が中空部端部及び外径端部で互いに接着及び縫合されて形成されることを特徴とする。
これより、蛇腹構造によってピストンロッドの伸縮に伴う保護カバーの弛みが防止される。さらに、中空の隣り合う素材同士を中空部端部及び外径端部で互いに接着及び縫合して蛇腹構造における太径部及び細径部を形成したことにより、これら細径部及び太径部の強度が向上し、特に太径部が外部の土砂等と摺接しても擦り切れたり、剥がれたりすることが防止される。また、細径部や太径部に特にばね材やワイヤ等の補強部材を必要としないため、腐食に伴いカバー素材が裂けてしまうようなことがない。
【００１０】
さらに、請求項３に係るシリンダ保護カバーでは、請求項２において、前記蛇腹構造は、前記太径部の外径寸法が前記一端から前記他端に向けて徐々に大きくなるよう形成されることを特徴とする。
これにより、ピストンロッドが収縮する際、蛇腹構造の太径部が後段のより外径の大きな素材面を押し付けるように作用するため、保護カバーがきれいに折り畳まれながら収縮する。
【００１１】
請求項４に係るシリンダ保護カバーでは、請求項２または３において、前記切断部が千鳥状に切断されてなることを特徴とする。
このように切断部を千鳥状に切断すると、自由端となる切断部近傍が多少めくれてもこれらが重なり合うことがないため、収縮時において切断部近傍が長手方向に厚くなることが防止される。
【００１２】
請求項５に係るシリンダ保護カバーでは、請求項２乃至４のいずれかにおいて、前記蛇腹構造は、前記細径部の内径寸法が前記一端から前記他端にかけて略同径となるよう形成されることを特徴とする。
これより、保護カバーがピストンロッドに沿って保持され、例えばシリンダが水平になった場合であっても自重により下方に大きく垂れてしまうことがない。
【００１３】
請求項６に係るシリンダ保護カバーでは、請求項２乃至４のいずれかにおいて、前記蛇腹構造は、前記細径部の内径寸法が前記一端から前記他端に向けて徐々に大きくなるよう形成されることを特徴とする。
これより、保護カバーがピストンロッドから離れた位置で折り畳まれていくため、折り畳まれた部分がシリンダチューブ端とピストンロッド先端の保護カバー取付部との間に挟み込まれることが防止される。
【００１４】
請求項７に係るシリンダ保護カバーでは、請求項１乃至６のいずれかにおいて、前記筒状体は、前記切断部が前記シリンダの取付けられる部材側を向くよう前記シリンダに固定されてなることを特徴とする。
請求項８に係るシリンダ保護カバーでは、請求項１乃至７のいずれかにおいて、前記ロッド側固定手段及び前記チューブ側固定手段は、それぞれ前記ピストンロッド及び前記シリンダチューブの外径に応じた径寸法に対応して締付けるバンド部材と、該バンド部材を覆う保護部材とを有することを特徴とする。
【００１５】
そして、請求項９に係るシリンダでは、シリンダが請求項１から請求項８のいずれかに記載のシリンダ保護カバーを備えたことを特徴とする。
【発明の効果】
【００１６】
請求項１に係るシリンダ保護カバーによれば、筒状体の長手方向に切断部を有していることから、筒状体を半割れ状に左右方向に大きく広げながらピストンロッドを覆うように保護カバーを設置することができ、ピストンロッド側及びシリンダチューブ側の各固定手段により保護カバーを容易にピストンロッドに固定することができる。また、ピストンロッドが伸縮した際に、切断部から保護カバー内部の空気を外部に排出することができ、さらには弛み吸収手段によって保護カバーの弛みを吸収することができるため、ピストンロッドの伸縮に伴う保護カバーの膨張や弛みを防止することができ、特に収縮時における見栄えの悪化を防止することができる。
【００１７】
また、請求項２に係るシリンダ保護カバーによれば、蛇腹構造によりロッドの伸縮に伴う保護カバーの弛みを防止でき、さらに、中空の隣り合う素材同士を中空部端部及び外径端部で互いに接着及び縫合して蛇腹構造の太径部及び細径部を形成したことにより、これら細径部及び太径部の強度を向上させ、特に太径部が外部の土砂等と摺接しても擦り切れたり、剥がれたりすることを防止できる。また、細径部や太径部にばね材やワイヤ等の補強部材を用いる必要がないため、腐食に起因してカバー素材が裂けてしまうこともない。
【００１８】
さらに、請求項３に係るシリンダ保護カバーによれば、ロッドが収縮する際、蛇腹構造の太径部が後段のより外径の大きな素材面を確実に押し付けるように作用するため、保護カバーをきれいに折り畳みなから収縮させることができ、結果として収縮時の見栄えを向上させることができる。
また、請求項４に係るシリンダ保護カバーによれば、切断部を千鳥状にすることで、自由端となる切断部近傍が多少めくれてもこれらが重なり合わないようにでき、収縮時において切断部近傍が長手方向に厚くならないようにでき、やはり収縮時の見栄えを向上させることができる。
【００１９】
また、請求項５に係るシリンダ保護カバーによれば、保護カバーをピストンロッドに沿って保持でき、例えばシリンダが水平になった場合であっても保護カバーが自重により下方に大きく垂れてしまうことを防止できる。これにより、ピストンロッドの収縮時において保護カバーを弛みなくより一層きれいに折り畳むことができ、収縮時の見栄えをさらに向上させることができる。
【００２０】
また、請求項６に係るシリンダ保護カバーによれば、保護カバーをピストンロッドから離れた位置で折り畳むようにでき、ピストンロッドを収縮させたときにシリンダチューブからのピストンロッドの突出量がほとんどない形態のシリンダであっても、折り畳まれた部分がシリンダチューブ端とピストンロッド先端の保護カバー取付部との間に挟み込まれないようにできる。
【００２１】
また、請求項７に係るシリンダ保護カバーによれば、切断部がシリンダの取付けられる部材側を向くように保護カバーを固定することにより、シリンダの取付けられる部材を盾にして切断部から土砂等が侵入することをある程度防止することができる。
また、請求項８に係るシリンダ保護カバーによれば、保護カバーのシリンダへの固定にカバー部材で覆われたバンド部材を用いることにより、バンド部材でシリンダ保護カバーを傷つけてしまうことを未然に防止できる。
【００２２】
そして、請求項９に係るシリンダによれば、上記各効果を有する保護カバーを用いることでシリンダを好適に実現することができる。
【発明を実施するための最良の形態】
【００２３】
以下、本発明に係るシリンダ保護カバーの実施の形態を図面に基づき説明する。なお、本実施の形態は、例えば油圧ショベル等の建設機械に設けられる油圧シリンダを例に説明する。
図１〜図１０は、本発明に係るシリンダ保護カバー（以下、単に保護カバーともいう）の第１の実施形態を説明するためのもので、図１は保護カバー全体を伸ばした際の外観図、図２は図１を反転させて逆側から見た図、図３は保護カバーを広げた状態を示す斜視図、図４は保護カバーを縮めた際の外観図、図５は保護カバーの製作過程の一部を示す図、図６は保護カバーをシリンダに装着しピストンロッドを伸ばした際の外観図、図７は保護カバーをシリンダに装着しピストンロッドを縮めた際の外観図、図８はシリンダチューブ側の取付部の外観図、図９は保護カバーをピストンロッドに装着した際の保護カバーとピストンロッドとの関係を示す模式図、図１０は、保護カバーをシリンダに緊縛固定するためのバンド部材の外観を示す図である。
【００２４】
第１実施形態では、シリンダ保護カバーは、可撓性を有する素材（例えば、布、ゴム、合成樹脂等）１０からなり、図１、図２に示すように、カバー部１と、保護カバーをシリンダのピストンロッド先端側に取付けるためのロッド側固定手段を形成するロッド側取付部２と、シリンダチューブ側に取付けるためのチューブ側固定手段を形成するチューブ側取付部３と、保護カバー全長にわたり長手方向に切断された切断部４とから構成されている。
【００２５】
また、カバー部１には、ピストンロッドの伸縮によって生じる弛みを吸収するために太径部５，５，・・・と細径部６，６，・・・が交互に繰り返し設けられ、これにより弛み吸収手段としての蛇腹構造が形成されている。
さらに、太径部５，５，・・・は、チューブ側取付部３に近いほどその外径が大きくなり、太径部５，５，・・・の外接線がロッド側取付部２からチューブ側取付部３に向けて全体としてテーパ形状を形成するよう設けられている（Ｒ1＜Ｒ2）。一方、細径部６，６，・・・については内径がピストンロッドの外径より若干大きく略一定となるように設けられている（ｒ＝一定）。
【００２６】
切断部４は、保護カバーの長手方向にロッド側取付部（一端）２からチューブ側取付部（他端）３にかけて設けられており、これより、当該保護カバーは、素材１０の可撓性により、図３に示すように切断部４を境に対向縁をそれぞれＡ方向及びＢ方向に引っ張ると、切断部４の開口面積が広がることになる。
また、図１に示すように、チューブ側取付部３の切断部４とは１８０度ずれた反対側の面には、チューブ側取付部３の端部から切り欠かれ且つ矩形にくり抜かれた切欠き孔７が設けられている。
【００２７】
図５にカバー部１の一部を抜き出して製作過程を示すように、同図５（ａ）に示すカバー部１は、同図５（ｂ）に示す中空の素材１０−１，１０−２，１０−３，１０−４・・・を中空部端部及び外径端部で隣り合う素材同士互いに接着及び縫合することにより作製される。
なお、上述したように太径部５，５，・・・の外接線をテーパ状に形成するため、中空部端部同士を接着及び縫合する素材１０−１と素材１０−２とでは、シリンダチューブ側の素材１０−１の方が隣接するピストンロッド先端側の素材１０−２よりも外径がδ１だけ大きくなっている。同様に、素材１０−４の外径は素材１０−３の外径よりもδ２だけ小さくなっている。一方、外径端部同士を接着及び縫合する一対の素材１０−２と素材１０−３とは同一の外径と内径を有して同じ形状をしている。
【００２８】
同図５（ｃ）に示すように、カバー部１の作製においては、最初に２枚の異なる外径の素材同士、すなわち素材１０−１と素材１０−２、素材１０−３と素材１０−４を、中空部端部同士で接着及び縫合する。これにより細径部６−１，６−２が形成される。
次に、同図５（ｄ）に示すように、素材１０−２と素材１０−３とをその外径端部同士で接着縫合する。これにより太径部５が形成される。
【００２９】
このように素材１０が互いに接着、縫合されて２枚重なり合って細径部６及び太径部５が形成されると、これら細径部６及び太径部５は他の部位に比べ特に耐摩耗性が強化されたものとなる。
以上の工程を蛇腹構造の段数に応じ繰り返し行うことにより、蛇腹構造を有するカバー部１が作製される。そして、当該カバー部１にロッド側取付部２及びチューブ側取付部３を接着或いは縫合することで保護カバーが作製される。
【００３０】
このように構成されたシリンダ保護カバーは、図６〜図８に示すように、ロッド側取付部２、チューブ側取付部３がバンド部材３０によって締付けられることでシリンダ２０に固定される。
ここに、バンド部材３０は、図１０（ａ）に示すように、締付具３１をドライバ等でねじ込むことにより内径を変えられるものであり、当該バンド部材３０は、同図１０（ｂ）に示すように、金属のベルト部３０ｂを樹脂材等のカバー（保護部材）３０ａで覆うようにして構成されている。
【００３１】
詳しくは、図３に示したように、切断部４を境にして対向縁をそれぞれＡ方向及びＢ方向に引っ張り、切断部４の開口面積を大きく広げ、シリンダロッド２４を覆うようにして保護カバーを設置する。そして、ロッド側取付部２周りにバンド部材３０を締め付けることでロッド側取付部２をシリンダロッド２４の先端部近傍に固定し、チューブ側取付部３周りにバンド部材３０を締め付けることでチューブ側取付部３をシリンダチューブ２２に固定する。これにより、保護カバーがシリンダ２０に固定される。
【００３２】
この際、図８に示すように、シリンダチューブ２２のチューブ側取付部３に対応する部分にはシリンダ２０の油圧配管２５が接続されており、保護カバーは、当該油圧配管２５の配管取付部２６がチューブ側取付部３の切欠き孔７に嵌合するように固定される。詳しくは、切欠き孔７は上述したように端部から切り欠かれており、油圧配管２５で当該切り欠かれた部分を二股に割るようにしてチューブ側取付部３を油圧配管２５の裏側のシリンダチューブ２２に位置させる。
【００３３】
図６に示すように、ピストンロッド２４の伸長時には、カバー部１の蛇腹構造が伸びた状態となり、保護カバーは全体としてチューブ側の径が大きくなったテーパ状の筒状体となる。そして、この状態からピストンロッド２４を収縮していくと、カバー部１はカバー部１内部の空気が切断部４から抜けながら折り畳まれる。また、カバー部１は、シリンダチューブ２２側の太径部５の外径寸法が大きく、一方ピストンロッド２４側の太径部５の外径寸法が小さく、全体として太径部５，５，・・・の外接線がテーパ状であることから、太径部５がより外径の大きな隣接する素材面を順次押圧するようにして折り畳まれる。これより、カバー部１は、蛇腹構造を形成する複数の襞が互いに密着することになり、弛みなく収縮する。
【００３４】
このように、第１の実施形態では、シリンダ保護カバーは、ロッド側取付部２からチューブ側取付部３にわたり切断部４を有しているので、切断部４の開口面積を広げることでシリンダ２０を当該シリンダ２０取付けている部材から外すことなく、当該保護カバーをピストンロッド２４周りに容易に取付けることができる。この際、チューブ側取付部３には端部から切り欠かれ且つ矩形にくり抜かれた切欠き孔７が設けられているので、上記同様にシリンダ２０の油圧配管２５を外すことなく、当該油圧配管２５を回避してチューブ側取付部３を油圧配管２５の裏側のシリンダチューブ２２に容易に位置させることができる。
【００３５】
また、ピストンロッド２４の伸長時にカバー内部に溜まった空気を収縮時に切断部４によって外部へ放出させることができるため、収縮時に保護カバー全体が膨張することを防止できる。さらに、カバー内部に水が溜まった場合であっても当該水を切断部４によって外部へ放出させることができる。これにより、収縮時における保護カバーの見栄えの悪化を防止することができる。
【００３６】
さらに、カバー部１が蛇腹構造を採用しており、さらにはピストンロッド２４からシリンダチューブ２２に向けて太径部５の外径を徐々に大きくし（Ｒ1＜Ｒ2）、カバー部１をテーパ形状としていることから、隣接する素材面を確実に押圧するようにして、ピストンロッド２４の収縮時に弛みを生じることなくカバー部１全体をきれいに折畳みながら良好に収縮させることができ、収縮時の見栄えを向上させることができる。
【００３７】
また、カバー部１の太径部５及び細径部６は２枚の素材を縫合のみならず接着剤によっても貼り付けられていることから、接着強度が高く外力が作用しても剥がれにくく、また太径部５が２枚重ねになっていることで耐摩耗性も強化されている。これにより、油圧ショベル等のシリンダ２０に当該保護カバーを装着して作業する際には、保護カバー、特に太径部５が地面あるいは土砂等と摺接したり衝突したりし易いのであるが、太径部５における２枚の素材の接着強度が高く耐摩耗性が強化されていることで、当該太径部５が剥がれたり擦り切れたりすることを防止できる。
【００３８】
また、太径部５や細径部６にばね材やワイヤ等の補強部材を用いる必要がないため、腐食に起因してカバー素材が裂けてしまうこともない。
また、細径部６，６，・・・については、図９に示すように、内径がピストンロッド２４の外径より若干大きく略一定であることから（ｒ＝一定）、カバー部１はピストンロッド２４に沿って保持されることになり、例えばシリンダ２０が図９の如く水平になった場合であっても、保護カバーが自重により下方に大きく垂れてしまうことを防止できる。これにより、ピストンロッド２４の収縮時において、カバー部１全体をより一層きれいに折畳むことができ、収縮時の見栄えをさらに向上させることができる。
【００３９】
また、バンド部材３０に関していえば、当該バンド部材３０は金属のベルト部３０ｂを樹脂材等のカバー３０ａで覆うように構成されているので、ロッド側取付部２及びチューブ側取付部３をバンド部材３０で締付け固定しても、金属で形成されるベルト部３０ｂが保護カバーに直接接触することがなく、保護カバーが摩耗により擦り切れることを防止できる。
【００４０】
ところで、図１１にはシリンダ保護カバーを油圧ショベルのバケット用のシリンダ２０に適用した場合が例示されているが、同図に示すように、シリンダ保護カバーについてはシリンダ２０が設置されるアーム４０と切断部４とが対面するように設けられるのがよい。つまり、保護カバーは切断部４がシリンダ２０の取付けられる部材側を向くようにシリンダ２０に固定されるのがよい。
【００４１】
このようにすれば、油圧ショベルではバケット４１により土砂等を掘削する作業を行うために土砂や岩石がシリンダ２０に飛来することが多く、保護カバーの切断部４からカバー内部に土砂等が入り込んで保護カバー内に土砂等が蓄積されるとピストンロッド２４の収縮時においてシリンダチューブ２２の端部とピストンロッド２４先端の保護カバー取付部２３との間に土砂や保護カバーが挟まれ、ピストンロッド２４の収縮が妨げられるおそれがあるのであるが、シリンダ２０の取付けられる部材が盾となり、土砂等がカバー内に入り込むことをある程度防止することができる。
【００４２】
なお、第1の実施形態では、太径部５，５，・・・の外接線がロッド側取付部２からチューブ側取付部３に向けて全体としてテーパ形状を形成するようにしているが、第1の実施形態の変形例として、図１２に示すように、カバー部１１において、ロッド側取付部２からチューブ側取付部３に向けての一定範囲については太径部５，５，・・・が略同一の外径Ｒ1を有するようにし、それ以外の範囲についてのみ太径部５，５，・・・の外接線がテーパ形状（Ｒ1＜Ｒ2）を形成するようにしてもよい。このようにしても、上記同様の効果を得ることができる。
【００４３】
また、他の変形例として、図１３に示すように、カバー部１２において、ロッド側取付部２からチューブ側取付部３に向けての一定範囲についてのみ太径部５，５，・・・の外接線がテーパ形状（Ｒ1＜Ｒ2）を形成するようにし、それ以外の範囲については太径部５，５，・・・が略同一の外径Ｒ2を有するようにしてもよい。このようにしても、やはり上記同様の効果を得ることができる。
【００４４】
次に、図１４を用いて本発明に係るシリンダ保護カバーの第２の実施形態について説明する。なお、ここでは上記第１の実施形態と異なる部分についてのみ説明する。
図１４は、第２の実施形態の保護カバーを切断部４側から見た図であり、当該第２の実施形態では、カバー部１３において切断部４ａ，４ａ，・・・と切断部４ｂ，４ｂ，・・・とがロッド側取付部（一端）２からチューブ側取付部（他端）３にわたり交互にその位置をずらしながら千鳥状に設けられている。
【００４５】
一般に、切断部４は自由端になっていることから、対向縁部分で変形（めくれ、折れ曲がり）を生じ易く、上記第１の実施形態の如く切断部４を一直線状に設けた場合には、変形した個所が径方向で同じ位置に生じ、ピストンロッド２４が収縮したときにこれらが重なり合い、長手方向の厚さが厚くなってしまうことが懸念される。
これに対し、第２の実施形態では、切断面４を切断部４ａ，４ａ，・・・及び切断部４ｂ，４ｂ，・・・のように径方向で蛇腹の段毎に交互にずらした形で千鳥状に形成しているので、ピストンロッド２４の収縮時に切断部４ａの対向縁或いは切断部４ｂの対向縁に変形が生じたとしてもこれらが重なり合うことがなく、収縮時において保護カバーが長手方向に厚くなることを防止できる。これにより収縮時の見栄えが悪化することを回避することができる。
【００４６】
また、第２の実施形態の変形例として、図１５に示すように、カバー部１４において切断部４の一方の対向縁については一直線状とする一方、他方の対向縁については蛇腹の段毎に交互に凸凹状に切断するようにし、当該他方の対向縁のうちの凸状の部分が一方の対向縁と重なり合うようにしてもよい。
この場合であっても、上記同様、ピストンロッド２４の収縮時に両対向縁に変形が生じたとしてもこれらが重なり合うことがなく、収縮時において保護カバーが長手方向に厚くなることを防止でき、収縮時の見栄えが悪化することを回避することができる。
【００４７】
また、このように他方の対向縁のうちの凸状の部分が一方の対向縁と重なり合うようにすると、切断部４の開きを防止することができるという利点もある。
次に、図１６を用いて本発明に係るシリンダ保護カバーの第３の実施形態について説明する。なお、ここでは上記第１の実施形態或いは第２の実施形態と異なる部分についてのみ説明する。
【００４８】
図１６は、第３の実施形態のシリンダ保護カバーをシリンダ２０に装着した場合の模式図であり、当該第３の実施形態では、カバー部１５において蛇腹構造の内径寸法ｒがピストンロッド２４の先端からシリンダチューブ２２にかけて拡大するように設定されている。すなわち、第３の実施形態では、ピストンロッド２４の先端側の細径部６の内径ｒ1よりもシリンダチューブ２２側の細径部６の内径ｒ2の方を大きくしている（ｒ1＜ｒ2）。
【００４９】
このようにすれば、同図１６に示す如くピストンロッド２４を収縮させたときにシリンダチューブ２２からのピストンロッド２４の突出量がほとんどない形態のシリンダ２０であっても、カバー部１５がピストンロッド２４から離れた位置で折り畳まれることになり、当該折り畳まれた部分がシリンダチューブ２２の端部とピストンロッド２４先端の保護カバー取付部２３との間に挟み込まれることを防止できる。
【００５０】
以上で本発明の実施形態の説明を終えるが、実施形態は上記に限られるものではない。
例えば、上記各実施形態では、太径部５及び細径部６を接着材により接着するようにしたが、両面テープ等他の接合部材を使用してもよい。
また、ここでは一対の素材同士を単に接着し縫合するだけの構成としたが、素材間に別の素材を単数または複数枚介在させてもよい。このようにすれば耐摩耗性をさらに強化することができる。
【００５１】
さらに、上記各実施形態では、シリンダ保護カバーを伸長させたときに略円筒形状の筒状体となる場合を例に説明したが、シリンダ保護カバーは四角柱状や六角柱状であってもよく、中空状の筒状体であればシリンダ保護カバーは如何なる形状であってもよい。
また、上記各実施形態では、シリンダ２０が例えば油圧ショベル等の建設機械に設けられる油圧シリンダである場合を例に説明したが、本発明は当然に水圧シリンダ、空気圧シリンダ等に対しても良好に適用可能である。
【００５２】
また、上記各実施形態では、切欠き孔７と切断部４とを１８０度ずらした位置関係に設定したが、切欠き孔７と切断部４とは軸回りに例えば４５度、９０度、１３５度等ずらした位置関係にあってもよく、必ずしも１８０度に限られるものではない。
【図面の簡単な説明】
【００５３】
【図１】第１の実施形態の保護カバー全体を伸ばした際の外観図である。
【図２】図１の保護カバーを反転させて逆側から見た図である。
【図３】第１の実施形態の保護カバーを広げた状態を示す斜視図である。
【図４】第１の実施形態の保護カバーを縮めた際の外観図である。
【図５】第１の実施形態の保護カバーの製作過程の一部を示す図である。
【図６】第１の実施形態の保護カバーをシリンダに装着しピストンロッドを伸ばした際の外観図である。
【図７】第１の実施形態の保護カバーをシリンダに装着しピストンロッドを縮めた際の外観図である。
【図８】第１の実施形態の保護カバーのシリンダチューブ側の取付部の外観図である。
【図９】第１の実施形態の保護カバーをピストンロッドに装着した際の保護カバーとピストンロッドとの関係を示す模式図である。
【図１０】第１の実施形態の保護カバーをシリンダに緊縛固定するためのバンド部材の外観を示す図である。
【図１１】第１の実施形態の保護カバーを油圧ショベルのバケット用のシリンダに適用した場合を示す図である。
【図１２】第1の実施形態の変形例を示す図である。
【図１３】第1の実施形態の他の変形例を示す図である。
【図１４】第２の実施形態の保護カバーを切断部側から見た図であって、千鳥状の切断部を示す図である。
【図１５】第２の実施形態の変形例を示す図である。
【図１６】第３の実施形態のシリンダ保護カバーをシリンダに装着した場合の模式図である。
【符号の説明】
【００５４】
１  カバー部
２  ロッド側固定部（ロッド側固定手段）
３  チューブ側固定部（チューブ側固定手段）
４  切断部
５  太径部
６  細径部
７  切欠き孔
１０  素材
１１〜１５  カバー部
２０  シリンダ
２２  シリンダチューブ
２４  ピストンロッド
２５  油圧配管
２６  配管取付部
３０  バンド部材
【図１】
2006161980.tif 000003
【図２】
2006161980.tif 000004
【図３】
2006161980.tif 000005
【図４】
2006161980.tif 000006
【図５】
2006161980.tif 000007
【図６】
2006161980.tif 000008
【図７】
2006161980.tif 000009
【図８】
2006161980.tif 000010
【図９】
2006161980.tif 000011
【図１０】
2006161980.tif 000012
【図１１】
2006161980.tif 000013
【図１２】
2006161980.tif 000014
【図１３】
2006161980.tif 000015
【図１４】
2006161980.tif 000016
【図１５】
2006161980.tif 000017
【図１６】
2006161980.tif 000018